(57)【要約】  除去可能なヘアローラーを受けることができる電動ヘアローラー巻き器（１）であって、前記巻き器が、ハンドル（４）、及び使用時に巻き器上に前もって固定された前記ヘアローラー（９）の周りに髪のふさを巻くことを可能にするモーター（１６）により駆動される回転ドラム（２）を含むものにおいて、前記巻き器（１）が、前記ヘアローラー（９）が回転ドラム（２）から除去されるまでヘアローラー（９）を加熱することを可能にする一体化された加熱手段（１９）を含むことを特徴とするヘアローラー巻き器（１）。【選択図】  図３
2014516680.tif 000002
【特許請求の範囲】
【請求項１】
除去可能なヘアローラーを受けることができる電動ヘアローラー巻き器（１）であって、前記巻き器が、ハンドル（４）、及び使用時に巻き器上に前もって固定された前記ヘアローラー（９）の周りに髪のふさを巻くことを可能にするモーター（１６）により駆動される回転ドラム（２）を含むものにおいて、前記巻き器（１）が、前記ヘアローラー（９）が回転ドラム（２）から除去されるまでヘアローラー（９）を加熱することを可能にする一体化された加熱手段（１９）を含むことを特徴とするヘアローラー巻き器（１）。
【請求項２】
前記巻き器（１）が、ヘアローラー（９）を回転ドラム（２）上に固定及び固定解除するための機構（８，１２）を含むことを特徴とする請求項１に記載のヘアローラー巻き器（１）。
【請求項３】
前記巻き器（１）が、ヘアローラー（９）が回転ドラム（２）上に固定されるときに加熱に自動的に携わるための機構（１１）を含むことを特徴とする請求項１または２に記載のヘアローラー巻き器（１）。
【請求項４】
ハンドル（４）がヘアローラー巻き器（１）の軸に設けられることを特徴とする請求項１〜３のいずれか一つに記載のヘアローラー巻き器（１）。
【請求項５】
前記巻き器（１）がねじれ制限機構を含むことを特徴とする請求項１〜４のいずれか一つに記載のヘアローラー巻き器（１）。
【請求項６】
前記巻き器（１）がイオン発生器（１７）を含むことを特徴とする請求項１〜５のいずれか一つに記載のヘアローラー巻き器（１）。
【請求項７】
加熱手段（１９）が熱空気加熱、伝導加熱または誘導加熱を使用することを特徴とする請求項１〜６のいずれか一つに記載のヘアローラー巻き器（１）。
【請求項８】
加熱手段（１９）が熱空気加熱を使用することを特徴とする請求項１〜７のいずれか一つに記載のヘアローラー巻き器（１）。
【請求項９】
駆動ドラムが、熱空気がヘアローラー（９）と接触されることを可能にする空気出口穴（３）を含むことを特徴とする請求項８に記載のヘアローラー巻き器（１）。
【請求項１０】
ドラム（２）の回転を駆動するモーター（１６）が、ハンドル（４）内に、またはヘアローラー（９）の回転ドラム（２）内に設けられることを特徴とする請求項１〜９のいずれか一つに記載のヘアローラー巻き器（１）。
【請求項１１】
請求項１〜１０のいずれか一つに記載のヘアローラー巻き器（１）を使用してヘアローラー（９）の周りに髪のふさを巻くための方法であって、
−  ヘアローラー（９）をヘアローラー巻き器（１）の回転ドラム（２）上に固定する；
−  ヘアローラー（９）の加熱手段（１９）を起動する；
−  回転スイッチ（７）を使用して回転ドラム（２）を起動することによりヘアローラー（９）の周りに髪のふさを巻く；
−  ヘアローラー（９）を解放する；
工程を含むことを特徴とする方法。
【請求項１２】
請求項１〜１０のいずれか一つに記載のヘアローラー巻き器（１）、及び一組のヘアローラーを含むことを特徴とするヘアスタイリングキット。
【発明の詳細な説明】
【技術分野】
【０００１】
本発明は、ヘアスタイリング装置に関し、特にヘアローラーのための巻き器内に一体化された加熱手段を含む電動ヘアローラー巻き器に関する。
【背景技術】
【０００２】
電動ヘアローラー巻き器は当業者により周知である。例えば、異なる形の電動ヘアローラー巻き器を開示する文献ＵＳ４２２２３９８，ＵＳ３６０５７６２，ＵＳ４８８４５８３及びＵＳ２００５／０１９９２５７が挙げられる。
【０００３】
さらに、ヘアローラーのための種々の加熱手段がまた、文献ＵＳ２００５／００００９５４，ＵＳ４４９９３５５，ＷＯ２０１１／０１５８７４及びＵＳ４５２６１８４により示されたように、当業者により周知である。これらの場合では、ヘアローラーは、髪のふさを巻くために使用される電動巻き器上に付与される前に伝導、対流または誘導により別個の装置内で加熱される。
【０００４】
文献ＵＳ２００５／０１２３２８６Ａ１は、回転ブラシを持つヘアドライヤーを開示する。この回転ブラシは、髪のふさがその周りに巻かれたら装置から除去されるように設計されていない。従って、それは、使用者の髪の中に残るように設計されたヘアローラーのためのヘアローラー巻き器を開示しない。結果として、それは、本発明の意味の範囲内のヘアローラー巻き器を含まない。
【０００５】
ヘアローラーの加熱及びその電動巻きつけの独立した管理は、特に簡単である。なぜなら巻きつけモーターを過熱する危険がないからである。このアプローチの主要な欠点は、髪のふさの巻きつけ前のヘアローラーの取り扱いによる、及びヘアローラーの使用者の頭への付与時の温度制御の不足による、ヘアローラーの過剰に迅速な冷却にある。
【発明の概要】
【発明が解決しようとする課題】
【０００６】
本発明は、従来技術の欠点を克服すること、特にヘアローラーが加熱されかつ／またはそれがその回転ドラムから解放されるまで所定温度に保たれることを可能にするように同じ装置内でヘアローラーのための電動巻きつけ手段とそれらの同じヘアローラーのための加熱手段を組み合わせることである。
【課題を解決するための手段】
【０００７】
本発明は、電動ヘアローラー巻き器であって、ハンドル、及び使用時に巻き器上に前もって固定された前記ヘアローラーの周りに髪のふさを巻くことを可能にするモーターにより駆動される回転ドラムを含むものにおいて、前記巻き器が、前記ヘアローラーが回転ドラムから除去されるまで前記ヘアローラーを加熱することを可能にする一体化された加熱手段を含むことを特徴とするヘアローラー巻き器を開示する。
【０００８】
本発明の好適実施態様は、以下の特徴の少なくとも一つまたはいずれかの好適な組み合わせを含む：
−  巻き器が、ヘアローラーを回転ドラム上に固定及び固定解除するための機構を含む；
−  巻き器が、ヘアローラーが回転ドラム上に固定されるときに加熱に自動的に携わるための機構を含む；
−  巻き器がねじれ制限機構を含む；
−  ハンドルが巻き器の軸に設けられる；
−  巻き器がイオン発生器を含む；
−  巻き器のための加熱手段が熱空気加熱、伝導加熱または誘導加熱を使用する；
−  巻き器のための加熱手段が熱空気加熱を使用する；
−  熱空気加熱手段を持つ巻き器の駆動ドラムが、熱空気がヘアローラーと接触され、それを瞬間的に加熱することを可能にする空気出口穴を含む；
−  ドラムの回転を駆動するモーターが、ハンドル内に、またはヘアローラーの回転ドラム内に設けられている。
【０００９】
本発明はまた、本発明によるヘアローラー巻き器を使用してヘアローラーの周りに髪のふさを巻くための方法を開示し、それは次の工程を含む：
−  ヘアローラー巻き器の回転ドラム上にヘアローラーを固定する；
−  ヘアローラーの加熱手段を起動する；
−  回転スイッチを使用して回転ドラムを起動することによりヘアローラーの周りに髪のふさを巻く；
−  ヘアローラーを解放する。
【００１０】
本発明は、最後に、本発明によるヘアローラー巻き器、及び一組のヘアローラーを含むヘアスタイリングキットを開示する。
【図面の簡単な説明】
【００１１】
【図１】図１は、異なる直径の三つのヘアローラーを示し、それにもかかわらず全てのヘアローラー直径を同じ回転ドラム上に適合可能にする万能カップリングを持つ。
【００１２】
【図２】図２は、回転ドラム上に固定されたヘアローラーを持つ本発明によるヘアローラー巻き器の全体図を示す。
【００１３】
【図３】図３は、熱空気加熱による本発明によるヘアローラー巻き器の実施態様の一つの全体図を示し、そこでは回転ドラムのための駆動モーターはハンドル内に設けられ、空気は回転ドラム上の空気出口穴を通してヘアローラーに到達する。
【００１４】
【図４】図４は、加熱手段を起動しかつ任意選択的に回転ドラム上の温度を測定するマイクロスイッチを持つ本発明によるヘアローラー巻き器の詳細図を示す。この詳細図はまた、ヘアローラーの固定を解除するためのボタン、及び回転ドラムを回転するための二方向スイッチを示す。
【００１５】
【図５】図５は、熱空気加熱による本発明によるヘアローラー巻き器の別の実施態様の３Ｄ図を示し、そこでは回転ドラムを駆動するためのモーターは回転ドラム自身内に設けられ、モーターはそれを熱空気から保護するための絶縁体を含む。
【図６】図６は、熱空気加熱による本発明によるヘアローラー巻き器の別の実施態様の断面図を示し、そこでは回転ドラムを駆動するためのモーターは回転ドラム自身内に設けられ、モーターはそれを熱空気から保護するための絶縁体を含む。
【００１６】
【図７】図７は、伝導加熱による本発明によるヘアローラー巻き器の一実施態様の３Ｄ図を示し、そこでは回転ドラムを駆動するためのモーターはハンドル内に設けられ、回転ドラムはその熱を伝導によりヘアローラーに伝達するように設計された加熱芯を備えている。
【図８】図８は、伝導加熱による本発明によるヘアローラー巻き器の一実施態様の３Ｄ図を示し、そこでは回転ドラムを駆動するためのモーターはハンドル内に設けられ、回転ドラムはその熱を伝導によりヘアローラーに伝達するように設計された加熱芯を備えている。
【００１７】
【図９】図９は、誘導加熱による本発明によるヘアローラー巻き器の一実施態様の３Ｄ図を示し、そこでは回転ドラムを駆動するためのモーターはハンドル内に設けられ、回転ドラムは強磁性のヘアローラーを加熱するように設計された誘導コイルを備えている。
【００１８】
【図１０】図１０は、本発明によるヘアローラー巻き器を使用してヘアローラーの周りに髪のふさを巻くための方法を示す。
【図１１】図１１は、本発明によるヘアローラー巻き器を使用してヘアローラーの周りに髪のふさを巻くための方法を示す。
【図１２】図１２は、本発明によるヘアローラー巻き器を使用してヘアローラーの周りに髪のふさを巻くための方法を示す。
【図１３】図１３は、本発明によるヘアローラー巻き器を使用してヘアローラーの周りに髪のふさを巻くための方法を示す。
【図１４】図１４は、本発明によるヘアローラー巻き器を使用してヘアローラーの周りに髪のふさを巻くための方法を示す。
【図１５】図１５は、本発明によるヘアローラー巻き器を使用してヘアローラーの周りに髪のふさを巻くための方法を示す。
【００１９】
【図１６】図１６は、髪のふさをヘアローラー上に取り付けるための異なる手段の詳細図を示す。
【発明を実施するための形態】
【００２０】
本発明は、参照数字を使用して明細書の１６個の図面に詳細に示される。全ての電気ヘア処理装置のように、本発明によるヘアローラー巻き器１は、電力ケーブル６、及び加熱及び／またはブローレベルを高めることと任意選択的に関連されることができるオン／オフスイッチ５を含む。
【００２１】
本発明による電動ヘアローラー巻き器１は、ヘアローラーを加熱する機能と、電動巻きとり機能を兼ね備える。その目的のために、それは、ファンまたはタービン及び加熱抵抗器、回転ドラム２内の加熱芯２６による伝導加熱、またはコイル１４を使用する誘導加熱を可能にする要素を使用して発生した熱空気のような、当業者に周知の加熱手段１９を含む。後者の二つのタイプの加熱は、巻き器１のハンドルにおいて電子管理ユニット１５，２５の存在を必要とする。
【００２２】
使用されるヘアローラー９は、使用される加熱手段に適合されなければならない。従って、熱空気加熱手段１９のためには、熱空気排出開口を含むヘアローラーが使用されるが、一方加熱芯２６または誘導コイル１４を使用する伝導加熱手段１９のためには、図８に示されたもののような、巻きとりドラム２とヘアローラー９の間の最大接触を確実にするために、「閉鎖された」ヘアローラー９がむしろ使用されるだろう。
【００２３】
同じ装置内にこれらの二つの機能を兼ね備える際の主要な困難性は、種々の要素の嵩高さであり、それは、装置が管理可能な寸法を維持するようにできるだけ減らされなければならない。
【００２４】
巻き器内でヘアローラーを直接加熱するための加熱手段１９の利点は、ローラー９の加熱に妨害がないことである。ヘアローラー９の周りの髪のふさの巻きとり時に、ヘアローラーは、回転ドラム２から来る加熱手段（熱空気、伝導または誘導）により加熱され続けられ、いったん回転ドラム２から解放（固定解除）されたときにのみ加熱されるのを止める。
【００２５】
本発明による巻き器１を使用してヘアローラー９の周りに髪のふさを巻くための方法は、ヘアローラーを巻きドラム２上に適合するかまたは固定することにより始まる。ヘアローラー９の固定手段１２は、回転ドラム２上に設けられる。この態様は図１０に示されている。次に、ヘアローラー巻き器装置は、巻かれる髪のふさ上に置かれ（図１１）、巻き器は、回転スイッチ７を使用して起動される。髪のふさ（図１２及び１３）は、次いで端部まで巻かれる。回転スイッチ７は二方向性であり、従ってそれは巻きドラム２を両回転方向に回転させる。本発明による巻き器１は、ねじれ制限器（図示せず）を備えており、それは、髪のふさが巻かれたときにそれが自動的に停止するように回転ドラム２により展開されるある力トルク閾値を越えると起動される。ヘアローラー９は、次いで固定解除ボタン８を使用して固定解除される。ねじれ制限器を起動するための閾値は、ヘアローラー９の異なる直径を考慮に入れるように調整可能である。
【００２６】
新しいヘアローラー９が回転ドラム２上に取り付けられるとき、回転ドラム２上に設けられた起動マイクロスイッチ１１を使用してヘアローラー９の加熱手段１９を自動的に起動することもできる。起動マイクロスイッチ１１はまた、規定された温度閾値を越えたら加熱手段１９をオフにする信号を与えることを可能にする温度プローブ（図示せず）と組み合わされることができる。これは、髪を過剰に高い温度にさらす危険を制御可能にする。
【００２７】
この装置のために選ばれた装備、従ってハンドル４内で利用できる空間に依存して、駆動ドラムを回転するモーターは、ハンドル４内にまたは回転ドラム１自体内に設けられることができる。駆動モーター１６が回転ドラム２内に設けられる構成は、図５及び６に示されている。ここでは、空気流を発生するための手段１８はモーター２０により駆動され、抵抗器１９により加熱された空気を巻きドラム２中に送り、それはまた、ドラムのための駆動モーター１６を含む。モーターの固定手段は、ベアリング２４を持つ変速機及びモーターのための絶縁体２１を含む。図６に黒い矢印により示された空気流は、ヘアローラー９上に直接配向され、それは、ヘアローラーを加熱し、その温度を巻き操作全体を通して、その後であっても維持することを可能にする。
【００２８】
異なる直径のヘアローラー９は回転ドラム２上に適用されることができ、ヘアローラー９の内径は、それにもかかわらず直径が不変である回転ドラム２上に適合されることができるように不変である。図１は、任意選択的に空気出口開口を持ち、かつ髪のふさに向けての熱空気の好都合な出口、及び比較的均一な熱分布、従ってヘアローラー９の比較的均一な温度を可能にする封止円盤２８を持つ、異なる直径を持つヘアローラーを示す。このヘアローラー９は、ヘアローラー９を巻きドラム２上に固定することを可能にする駆動リブ２７を含む。上述のように、ヘアローラーのために使用される形状と材料は、加熱手段に適合されなければならない。誘導加熱のためには、強磁性ヘアローラーが好ましく使用され、伝導のためには一般的に良好な伝導性金属が好ましくは使用されるだろう。熱空気加熱は、広範囲の材料の使用を可能にする。
【００２９】
髪のふさをヘアローラー９上に固定するための異なる手段１０も存在する。これらの固定手段１０の限定されない例が図１６に示されている。
【００３０】
本発明によるヘアローラー巻き器はまた、イオン発生器１７を含むことができる。かかるイオン発生器は、特にヘアローラーを乾燥した髪上に置くために有利であることができる。この代替例は、それがヘアローラー上に直接イオンを吹き付けることを可能にするので、熱空気流加熱手段を使用する場合に好ましいだろう。
【符号の説明】
【００３１】
１．ヘアローラー巻き器
２．回転ドラム
３．空気出口穴
４．ハンドル
５．オン／オフスイッチ
６．電力ケーブル
７．二方向回転スイッチ
８．ヘアローラーの固定解除ボタン
９．万能カップリングを持つヘアローラー
１０．髪のふさを取り付けるための手段
１１．加熱手段を起動し、任意選択的に温度を測定するためのマイクロスイッチ
１２．ヘアローラーを回転ドラム上に固定するための固定手段
１３．ヘアローラーを伝導または誘導により加熱するために好適な穴を持たない回転ドラム
１４．誘導コイル
１５．誘導加熱手段を管理するための電子ユニット
１６．回転ドラムを駆除するためのモーター
１７．イオン発生器
１８．空気流を発生するための手段
１９．加熱手段（抵抗器、ＰＴＣなど）
２０．ファンまたはタービンを駆動するためのモーター
２１．熱絶縁体
２２．加熱抵抗器のための保持器
２３．空気取り入れ格子
２４．ベアリングを持つ変速機
２５．伝導加熱手段を管理するための電子ユニット
２６．加熱芯
２７．回転ドラムのための駆動リブ
２８．ヘアローラーの封止円盤
【図１】
2014516680.tif 000003
【図２】
2014516680.tif 000004
【図３】
2014516680.tif 000005
【図４】
2014516680.tif 000006
【図５】
2014516680.tif 000007
【図６】
2014516680.tif 000008
【図７】
2014516680.tif 000009
【図８】
2014516680.tif 000010
【図９】
2014516680.tif 000011
【図１０】
2014516680.tif 000012
【図１１】
2014516680.tif 000013
【図１２】
2014516680.tif 000014
【図１３】
2014516680.tif 000015
【図１４】
2014516680.tif 000016
【図１５】
2014516680.tif 000017
【図１６】
2014516680.tif 000018
【国際調査報告】
2014516680.tif 000019
2014516680.tif 000020
2014516680.tif 000021
2014516680.tif 000022
2014516680.tif 000023
2014516680.tif 000024